(57)【要約】      （修正有）【課題】片手でも開放操作が可能なスナップボタンを提供する。【解決手段】雌スナップと雄スナップからなるスナップボタンである。前記雌スナップは、係合受け部２４を備えた雌スナップ本体２１と、この雌スナップ本体と接続された開放操作部２２を有する。前記開放操作部２２は、生地から浮かび上がった自由端部を備えた、少なくとも１枚の押下げ片を有する。前記雄スナップは、係合突起を備えた雄スナップ本体と、この雄スナップ本体と接続された拡張支持部３１を有する。前記開放操作部２２の下方に前記拡張支持部３１が位置する。前記拡張支持部３１の長さは前記開放操作部２２の長さの１．３〜０．３倍である。【選択図】図５
2014110866.tif 000002
【特許請求の範囲】
【請求項１】
雌スナップ（２，２Ａ，２Ｃ）と雄スナップ（３，３Ａ，３Ｃ）からなるスナップボタン（１，１Ａ，１Ｃ）であって、
前記雌スナップ（２，２Ａ，２Ｃ）は、係合受け部（２４，２４Ａ，２４Ｃ）を備えた雌スナップ本体（２１，２１Ａ，２１Ｃ）を有し、
前記雄スナップ（３，３Ａ，３Ｃ）は、係合突起を備えた雄スナップ本体（３０，３０Ａ，３０Ｃ）を有し、
前記雌雄スナップ本体（２，２Ａ，２Ｃ；３，３Ａ，３Ｃ）の一方は、この一方の本体と接続された開放操作部（２２，２２Ａ，２２Ｃ）を有し、この開放操作部は、生地から浮かび上がった自由端部（２７，２７Ａ）を備えた押下げ片を備えており、
前記雌雄スナップ本体の他方は、この他方の本体（３０，３０Ａ，３０Ｃ）と接続された拡張支持部（３１，３１Ａ，３１Ｃ）を有し、
前記開放操作部（２２，２２Ａ，２２Ｃ）の下方に前記拡張支持部（３１，３１Ａ，３１Ｃ）が位置すること、および、前記拡張支持部（３１，３１Ａ，３１Ｃ）の長さが前記開放操作部（２２，２２Ａ，２２Ｃ）の長さの１．３〜０．３倍であることを特徴とするスナップボタン。
【請求項２】
雌スナップ（２，２Ａ）と雄スナップ（３，３Ａ）からなるスナップボタン（１，１Ａ）であって、
前記雌スナップ（２，２Ａ）は、係合受け部（２４，２４Ａ）を備えた雌スナップ本体（２１，２１Ａ）と、この雌スナップ本体と接続された開放操作部（２２，２２Ａ）を有し、
前記開放操作部（２２，２２Ａ）は、生地から浮かび上がった自由端部（２７，２７Ａ）を備えた、少なくとも１枚の押下げ片を有し、
前記雄スナップ（３，３Ａ）は、係合突起を備えた雄スナップ本体（３０，３０Ａ）と、この雄スナップ本体（３０，３０Ａ）と接続された拡張支持部（３１，３１Ａ）を有し、
前記開放操作部（２２，２２Ａ）の下方に前記拡張支持部（３１，３１Ａ）が位置すること、および、前記拡張支持部（３１，３１Ａ）の長さが前記開放操作部（２２，２２Ａ）の長さの１．３〜０．３倍であることを特徴とするスナップボタン。
【請求項３】
前記拡張支持部（３１，３１Ａ，３１Ｃ）の長さが前記開放操作部（２２，２２Ａ，２２Ｃ）の長さの１．１〜０．５倍である請求項１または２記載のスナップボタン。
【請求項４】
開放操作部（２２）を構成する押下げ片が１対（２枚）である請求項１〜３のいずれかに記載のスナップボタン。
【請求項５】
開放操作部（２２Ａ）を構成する押下げ片が２対（４枚）である請求項１〜３のいずれかに記載のスナップボタン。
【請求項６】
開放操作部（２２Ｃ）を構成する押下げ片が円板状である請求項１〜３のいずれかに記載のスナップボタン。
【請求項７】
拡張支持部（３１）が、直線状に方向性を有する請求項１〜６のいずれかに記載のスナップボタン。
【請求項８】
拡張支持部（３１Ａ）が、円板状である請求項１〜６のいずれかに記載のスナップボタン。
【請求項９】
前記開放操作部（２２Ｃ）及び前記拡張支持部（３１Ｃ）が双方ともに、衣服の開閉部分の両縁にそれぞれ袋縫いして形成される２重部分の２枚の生地に挟まれて外部から見えなくなるものである請求項１〜８のいずれかに記載のスナップボタン。
【請求項１０】
雌スナップ（２Ｂ）と雄スナップ（３Ｂ）からなるスナップボタンであって、
前記雌スナップ（２Ｂ）は、係合受け部（２４Ｂ）を備えた雌スナップ本体（２１Ｂ）と、この雌スナップ本体と接続された第１開放操作部（２２Ｂ）を有し、
前記開放操作部（２２Ｂ）は、表面側生地（４Ｂ）の開放端部に向かって伸びる２本の第１延長部を有し、
前記雄スナップ（３Ｂ）は、係合突起（３３Ｂ）を備えた雄スナップ本体（３０Ｂ）と、この雄スナップ本体（３０Ｂ）と接続された第２開放操作部（３５）を有し、
前記第２開放操作部（３５）は、裏面側生地（５Ｂ）の開放端部に向かって伸びる１本の第２延長部を有し、
前記第１開放操作部（２２Ｂ）の第１延長部と前記第２開放操作部（３５）の第２延長部が係合可能であることを特徴とするスナップボタン。
【発明の詳細な説明】
【技術分野】
【０００１】
本発明は、衣服、かばん、その他、開閉部分を有する物品に使用するスナップボタンに関し、特に片手でも開放操作が可能なスナップボタンに関するものである。
【背景技術】
【０００２】
スナップボタンは多種多様なものが公知であり、実用化もされている。たとえば手に障害を持つ人のために片手でも操作できるようにした発明として、たとえば特開2003-102518がある。この発明は、凸状の係合部を有するオス型スナップと、凹状の嵌合穴を有するメス型スナップとから成るスナップボタンにおいて、嵌合穴から係合部案内溝を連接して、係合部の嵌合穴への着脱を、軸方のみならず半径方向からも行うことができるようにしている。
【発明の概要】
【発明が解決しようとする課題】
【０００３】
本発明は、上記従来技術と全く異なるアプローチにより、片手でも開放操作が可能なスナップボタンを提供しようとするものである。
【課題を解決するための手段】
【０００４】
本発明は第１の観点では、雌スナップと雄スナップからなるスナップボタンであって、前記雌スナップは、係合受け部を備えた雌スナップ本体を有し、前記雄スナップは、係合突起を備えた雄スナップ本体を有し、前記雌雄スナップ本体の一方は、この一方の本体と接続された開放操作部を有し、この開放操作部は、生地から浮かび上がった自由端部を備えた、少なくとも１枚の押下げ片を備えており、前記雌雄スナップ本体の他方は、この他方の本体と接続された拡張支持部を有し、前記開放操作部の下方に前記拡張支持部が位置すること、および、前記拡張支持部の長さが前記開放操作部の長さの１．３〜０．３倍であることを特徴とする（請求項１）。
【０００５】
本発明は第２の観点では、雌スナップと雄スナップからなるスナップボタンであって、前記雌スナップは、係合受け部を備えた雌スナップ本体と、この雌スナップ本体と接続された開放操作部を有し、前記開放操作部は、生地から浮かび上がった自由端部を備えた、少なくとも１枚の押下げ片を有し、前記雄スナップは、係合突起を備えた雄スナップ本体と、この雄スナップ本体と接続された拡張支持部を有し、前記開放操作部の下方に前記拡張支持部が位置すること、および、前記拡張支持部の長さが前記開放操作部の長さの１．３〜０．３倍であること、を特徴とする（請求項２）。
【０００６】
好ましくは、前記拡張支持部の長さが前記開放操作部の長さの１．１〜０．５倍である（請求項３）。
【０００７】
開放操作部を構成する押下げ片は、最低１枚あればよいが、美観上、直線状に延びる１対（２枚）または四方に延びる２対（４枚）であることが好ましい（請求項４，５）。円板状であってもよい（請求項６）。
【０００８】
拡張支持部は、直線状に方向性を有するものであっても、円板であって、放射状に方向性を有するものであってもよい（請求項７，８）。円板状とすれば、開放操作部の下方に拡張支持部が位置するという条件を簡単に満たすことができる。
【０００９】
ある実施態様では、前記開放操作部及び前記拡張支持部が双方ともに、衣服の開閉部分の両縁にそれぞれ袋縫いして形成される２重部分の２枚の生地に挟まれて外部から見えなくなる（請求項９）。
【００１０】
第３の観点では、本発明は、雌スナップと雄スナップからなるスナップボタンであって、前記雌スナップは、係合受け部を備えた雌スナップ本体と、この雌スナップ本体と接続された第１開放操作部を有し、前記開放操作部は、表面側生地の開放端部に向かって伸びる２本の第１延長部を有し、前記雄スナップは、係合突起を備えた雄スナップ本体と、この雄スナップ本体と接続された第２開放操作部を有し、前記第２開放操作部は、裏面側生地の開放端部に向かって伸びる１本の第１延長部を有し、前記第１開放操作部の第１延長部と前記第２開放操作部の第２延長部が係合することを特徴とする（請求項１０）。
【発明の効果】
【００１１】
第１の観点では、本発明は、開放操作部の押し下げ片を押し下げるだけで、てこの原理に基づき、雌雄スナップは外れるので、片手でも操作可能である。
【００１２】
第２の観点では、本発明は、第１開放操作部と第２開放操作部をひねるだけで、雌雄スナップは外れるので、片手でも操作可能である。
【図面の簡単な説明】
【００１３】
【図１】本発明の第１実施例であるスナップボタンを取り付けた衣服の正面図である。
【図２】図１のスナップボタンの拡大斜視図である。
【図３】図２における雌スナップの（ａ）正面図、（ｂ）側面図、（ｃ）断面図、（ｄ）背面図である。
【図４】図２における雄スナップの（ａ）正面図、（ｂ）側面図、（ｃ）断面図、（ｄ）背面図である。
【図５】雌雄スナップの開放動作を説明する断面図であり、（ａ）閉鎖時、（ｂ）開放操作開始時、（ｃ）開放時を示す。
【図６】本発明の第２実施例であるスナップボタンを取り付けた衣服の正面図である。
【図７】図６のスナップボタンの拡大斜視図である。
【図８】図７における雌スナップの（ａ）正面図、（ｂ）側面図、（ｃ）背面図である。
【図９】図２における雄スナップの（ａ）正面図、（ｂ）側面図、（ｃ）背面図である。
【図１０】本発明の第３実施例であるスナップボタンの拡大斜視図である。
【図１１】図１０における雌スナップの（ａ）正面図、（ｂ）側面図、（ｃ）断面図、（ｄ）背面図である。
【図１２】図１０における雌スナップの（ａ）正面図、（ｂ）側面図、（ｃ）断面図、（ｄ）背面図である。
【図１３】本発明の第４実施例であるスナップボタンを取り付けた衣服の正面図である。
【図１４】図１３のスナップボタンの拡大斜視図である。
【図１５】図１３における雌スナップの（ａ）正面図、（ｂ）側面図、（ｃ）断面図、（ｄ）背面図である。
【図１６】図１３における雄スナップの（ａ）正面図、（ｂ）側面図、（ｃ）断面図、（ｄ）背面図である。
【図１７】雌雄スナップの開放動作を説明する断面図であり、（ａ）閉鎖時、（ｂ）開放操作開始時、（ｃ）開放時を示す。
【発明を実施するための形態】
【００１４】
以下、添付の図面に基づき、本発明の実施例を説明する。
【実施例１】
【００１５】
図１〜図５は本発明の第１実施例である。
【００１６】
このスナップボタン１の外観は、図１及び図２に示すようなものであり、雌雄スナップ２，３からなる。
【００１７】
雌スナップ２は、図１〜図３に示すように、雌スナップ本体２１と開放操作部２２からなる。
【００１８】
雌スナップ本体２１は、従来のスナップボタンとほとんど同じである。すなわち、図３（ｂ）（ｃ）に示すように、表面材２３と雌スナップ係合受け部２４が、表側生地４を挟んで、表面材の脚部２５によりかしめられている。雌スナップ係合受け部２４はバネ２６を有し、後記する雄スナップ３の係合突起３３とはまりあう。
【００１９】
開放操作部２２は、雌スナップ本体２１の両側に、表面材２３と生地４の間に挟まれて回動不可能なように固定され、鳥が羽を広げて飛び立つときのように湾曲しながら伸びている。開放操作部２２の自由端部２７は、接触する可能性のある人や物を傷つけることがないように、生地側に曲げておくことが好ましい。
【００２０】
雄スナップ３は、図４に示すように、雄スナップ本体３０と拡張支持部３１からなる。
【００２１】
雄スナップ本体３０は、従来のスナップボタンとほとんど同じである。すなわち、図４（ｂ）（ｃ）に示すように、裏面材３２と雄スナップ係合突起３３が、裏側生地５を挟んで、裏面材３２の脚部３４によりかしめられている。
【００２２】
拡張支持部３１は、長楕円形であり、裏面材３２と生地５の間に挟まれて回動不可能なように固定されている。拡張支持部３１と開放操作部２２は、同じ方向に直線状に伸びていること、拡張支持部３１の長さは開放操作部２２の長さの１．３〜０．３倍、より好ましくは１．１〜０．５倍程度であることが必要である。この範囲は、てこの原理を応用しやすくするためである。
【００２３】
雌雄スナップ２，３は、金属製であることが好ましいが、合成樹脂製とすることもできる。
【００２４】
このスナップボタン１を使用するに当たって、雌雄スナップ２，３の閉鎖動作は、従来のスナップボタンと同様である。すなわち、雄スナップ３の係合突起３３を雌スナップ２の係合受け部２４に押し込めばよい。
【００２５】
本発明の特徴は開放動作時にあり、それを図５に基づいて説明する。閉鎖状態から、（ａ）片側の開放操作部２２を矢印の方向に指で押し下げると、（ｂ）雌スナップ２は、てこの原理により、大きく傾き、（ｃ）ある一定点を過ぎると雌雄スナップ２，３は外れる。この操作は片手でも行うことができるので、手に障害を持つものでも可能である。また、手袋を嵌めたままでも可能である。
【００２６】
実施例１の変形例として、図示しないが、雌スナップ側に拡張支持部を設け、雄スナップ側に開放操作部を設けることもできる。
【実施例２】
【００２７】
図６〜図９は本発明の第２実施例である。
【００２８】
第１実施例と異なるのは、１対（２枚）の開放操作部２２Ａが直線状に伸びているのではなく、四方に２対（４枚）の花びらのように伸びていること、及び拡張支持部３１Ａが円板状であることである。第１実施例と同じ部品には第１実施例の符号に「Ａ」を付して詳細な説明を省略する。
【００２９】
作用効果も第１実施例と同様である。第２実施例に特有な効果としては、拡張支持部３１Ａが円板状であるため、第１実施例と異なり、開放操作部２２Ａはどの向きであってもよく、拡張支持部３１Ａの方向を直線状に一致させる必要がないことである。
【実施例３】
【００３０】
図１０〜図１２は本発明の第３実施例である。
【００３１】
雌スナップ２Ｂは、図１０、図１１に示すように、雌スナップ本体２１Ｂと第１開放操作部２８からなる。
【００３２】
雌スナップ本体２１Ｂは、従来のスナップボタンとほとんど同じである。すなわち、図１１（ｂ）（ｃ）に示すように、表面材２１Ｂと雌スナップ係合受け部２４Ｂが、表側生地４Ｂを挟んで、表面材の脚部２５Ｂによりかしめられている。雌スナップ係合受け部２４Ｂはバネ２６Ｂを有し、後記する雄スナップ３Ｂの係合突起とはまりあう。
【００３３】
第１開放操作部２８は、表面側生地４Ｂの開放端部に向かって伸びる２本の第１延長部からなり、表面材２１Ｂと生地４Ｂの間に挟まれて回動不可能なように固定されている。第１開放操作部２８の先端２９はカールして円筒状となっている。
【００３４】
雌スナップ３Ｂは、図１０及び図１２に示すように、雄スナップ本体３０Ｂと、第２開放操作部３５からなる。
【００３５】
雄スナップ本体３０Ｂは、従来のスナップボタンとほとんど同じである。すなわち、図１２（ｂ）（ｃ）に示すように、裏面材３２Ｂと雄スナップ係合突起３３Ｂが、裏側生地５Ｂを挟んで、裏面材の脚部３４Ｂによりかしめられている。
【００３６】
第２開放操作部３５は、１本の第２延長部からなり、その先端３６はカールして円筒状となっている。雌雄スナップ２Ｂ，３Ｂを係合させたとき、第２開放操作部３５は第１開放操作部２８に挟まれて、係合する。
【００３７】
雌雄スナップ２Ｂ，３Ｂは、金属製であることが好ましいが、合成樹脂製とすることもできる。
【００３８】
このスナップボタン１Ｂを使用するに当たって、雌雄スナップ２Ｂ，３Ｂの閉鎖動作は、従来のスナップボタンと同様である。すなわち、雄スナップの係合突起３３Ｂを雌スナップの係合受け部２４Ｂに押し込めばよい。このとき、第１、第２開放操作部２８，３５も、ちょうど「がまぐち」を締めたときのように係合する。
【００３９】
本発明の特徴は開放動作時にあり、閉鎖状態からちょうど「がまぐち」をあけるときのように第１、第２開放操作部２８，３５をひねると、雌雄スナップは外れる。この操作は片手でも行うことができるので、手に障害を持つものでも可能である。
【実施例４】
【００４０】
図１３〜図１７は本発明の第４実施例である。
【００４１】
このスナップボタン１Ｃの外観は、図１３及び図１４に示すようなものであり、雌雄スナップ２Ｃ，３Ｃからなる。外部から見える部材である雌雄スナップ本体２１Ｃ，３０Ｃは、従来のスナップボタンは変わらない。本実施例の特徴は、雌スナップ２Ｃが有する円板状の開放操作部２２Ｃと、雄スナップ３Ｃが有する円板状の拡張支持部３１Ｃにあり、それぞれの部材は２枚の生地４Ｃ，５Ｃの中に隠れて収納されていることである。２枚の生地とは衣服の開閉部分の両縁にそれぞれ袋縫いして形成される２重部分のことである（図１４参照）。
【００４２】
雌スナップ２Ｃの開放操作部２２Ｃは、図１５に示すように、雌スナップ本体２１Ｃの脚部２５Ｃによってかしめて取り付けられた皿状部材であり、皿の縁は雌スナップ本体２１Ｃとは反対側に盛り上がっている。皿の表面を見ると、６個の小孔６１とそれらの小孔を６角形状につなぐ浅い溝６２が見えるが、これらは意匠的な意味で設けられており、開放操作部の機能とは関係しない。
【００４３】
雄スナップ３Ｃの拡張支持部３１Ｃは、図１６に示すように、雄スナップ本体３Ｃの脚部３４Ｃによってかしめて取り付けられた皿のような部材であり、皿の縁は雄スナップ本体３Ｃとは反対側に盛り上がっている。皿の表面を見ると６個の小孔６１とそれらの小孔を６角形状につなぐ浅い溝６２が見えるが、これらは意匠的な意味で設けられており、拡張支持部の機能とは関係しない。
【００４４】
この実施例では、部品の数を減らすために、雌スナップ２Ｃの開放操作部２２Ｃは、雄スナップ３Ｃの拡張支持部３１Ｃと同じ部品を使用している。ということは、開放操作部という名称と拡張支持部という名称は、ここでは単なる見方の相違であって相対的なものということもできるであろう。
【００４５】
このスナップボタン１Ｃを使用するに当たって、雌雄スナップ２Ｃ，３Ｃの閉鎖動作は、従来のスナップボタンと同様である。すなわち、雄スナップ３Ｃの係合突起３３Ｃを雌スナップ２Ｃの係合受け部２４Ｃに押し込めばよい。
【００４６】
本発明の特徴は開放動作時にあり、それを図１７に基づいて説明する。閉鎖状態から、（ａ）片側の開放操作部２２Cを矢印の方向に指で押し下げると、（ｂ）雌スナップ２Ｃは、てこの原理により、大きく傾き、（ｃ）ある一定点を過ぎると雌雄スナップ２Ｃ，３Ｃは外れる。この操作は片手でも行うことができるので、手に障害を持つものでも可能である。また、手袋を嵌めたままでも可能である。
【先行技術文献】
【特許文献】
【００４７】
【特許文献１】特開2003-102518
【符号の説明】
【００４８】
１，１Ａ，１Ｂ，１Ｃ スナップボタン
２，２Ａ，２Ｂ，２Ｃ 雌スナップ
２１，２１Ａ，２１Ｂ，２１Ｃ       雌スナップ本体
２２，２２Ａ，２２Ｂ，２２Ｃ       開放操作部
２３，２３Ａ，２３Ｂ 表面材
２４，２４Ａ，２４Ｂ 係合受け部
２５，２５Ａ，２５Ｂ 脚部
２６，２６Ａ，２６Ｂ バネ
２７，２７Ａ，２７Ｂ 自由端部
２８   第１開放操作部
３     雄スナップ
３０，３０Ａ，３０Ｂ，３０Ｃ       雄スナップ本体
３１，３１Ａ，３１Ｂ，３１Ｃ       拡張支持部
３２，３２Ａ，３２Ｂ 裏面材
３３，３３Ａ，３３Ｂ 係合突起
３４，３４Ａ，３４Ｂ 脚部
３５   第２開放操作部
４，４Ａ，４Ｂ       表側生地
５，５Ａ，５Ｂ       裏側生地
【図１】
2014110866.tif 000003
【図２】
2014110866.tif 000004
【図３】
2014110866.tif 000005
【図４】
2014110866.tif 000006
【図５】
2014110866.tif 000007
【図６】
2014110866.tif 000008
【図７】
2014110866.tif 000009
【図８】
2014110866.tif 000010
【図９】
2014110866.tif 000011
【図１０】
2014110866.tif 000012
【図１１】
2014110866.tif 000013
【図１２】
2014110866.tif 000014
【図１３】
2014110866.tif 000015
【図１４】
2014110866.tif 000016
【図１５】
2014110866.tif 000017
【図１６】
2014110866.tif 000018
【図１７】
2014110866.tif 000019